(57)【要約】      （修正有）【課題】１００Ｖ用コンセントからの電気と、車載バッテリーからの電気の両方に、容易かつ迅速に対応可能で、１００Ｖ用コンセントやシガーライタソケットとつなぐための接続コードが不要な携帯用空気清浄機を提供する。【解決手段】清浄成分発生器が内蔵された空気清浄機本体部１と、既設の１００Ｖ用コンセントに抜き差し可能な差込ピン２１を有するコンセントプラグ部２と、を備えた携帯用空気清浄機であって、空気清浄機本体部１の本体ケーシングの全体又は一部が、ゲルマニウムが含有された樹脂製であり、空気清浄機本体部１から円柱状の差込軸部３を突設し、コンセントプラグ部２に差込軸部３が差し込まれる円形状の差込孔部２３を凹設して、空気清浄機本体部とコンセントプラグ部とを合体・分離自在に設け、差込軸部３を、車両のシガーライタソケット６に差込んで電気的に接続可能に設けて、空気清浄機本体部１を車載バッテリーにて作動可能とした。【選択図】図６
2014054413.tif 000002
【特許請求の範囲】
【請求項１】
空気清浄成分を発生させるための清浄成分発生器（19）が内蔵された空気清浄機本体部（１）と、既設の１００Ｖ用コンセントに抜き差し可能な一対の帯板状の差込ピン（21）（21）を有するコンセントプラグ部（２）と、を備えた携帯用空気清浄機であって、
上記空気清浄機本体部（１）の本体ケーシング（10）の全体又は一部が、ゲルマニウムが含有された樹脂製であり、
上記空気清浄機本体部（１）から円柱状の差込軸部（３）を突設し、上記コンセントプラグ部（２）に上記差込軸部（３）が差し込まれる円形状の差込孔部（23）を凹設して、上記空気清浄機本体部（１）と上記コンセントプラグ部（２）とを合体・分離自在に設け、
さらに、上記差込軸部（３）を、車両のシガーライタソケット（６）に差込んでかつ電気的に接続可能に設けて、上記空気清浄機本体部（１）を車載バッテリーにて作動可能としたことを特徴とする携帯用空気清浄機。
【請求項２】
上記本体ケーシング（10）は、一対の幅広壁部（11）（11）と、一対の幅狭壁部（12）（12）と、を有し、
上記一対の幅広壁部（11）（11）の一方に上記空気清浄成分を飛散させるための複数の第１放出孔（11ａ）を有すると共に、上記一対の幅狭壁部（12）（12）の両方に上記空気清浄成分を飛散させるための上記複数の第２放出孔（12ａ）を有する請求項１記載の携帯用空気清浄機。
【発明の詳細な説明】
【技術分野】
【０００１】
本発明は、携帯用空気清浄機に関する。
【背景技術】
【０００２】
従来、携帯用空気清浄機は、１００Ｖ用コンセントに対応する差込プラグを一体に備え、家や滞在先のホテルの１００Ｖ用のコンセントに接続して、空気を清浄するものがある（例えば、特許文献１参照）。
【先行技術文献】
【特許文献】
【０００３】
【特許文献１】特開２００３−１１７４３３号公報
【発明の概要】
【発明が解決しようとする課題】
【０００４】
しかし、自動車等の車両は、車載バッテリーを電源とするため、コンバータやインバータ等が内蔵された直流交流変換装置を車内に設置する必要があった。しかし、直流交流変換装置や、シガーライタソケットと直流交流変換装置を繋ぐ接続コード等の設置や配線に、手間がかかるといった問題や、限られた車内空間を圧迫して車内が狭くなるといった問題や、接続コードが運転者や同乗者に引掛かって危険であるといった問題があった。
【０００５】
そこで、本発明は、携帯が容易で、１００Ｖ用コンセントからの電気と、車載バッテリーからの電気の両方に、容易かつ迅速に対応可能で、１００Ｖ用コンセントやシガーライタソケットとつなぐための接続コードが不要な携帯用空気清浄機の提供を目的とする。
【課題を解決するための手段】
【０００６】
上記目的を達成するために、本発明の携帯用空気清浄機は、空気清浄成分を発生させるための清浄成分発生器が内蔵された空気清浄機本体部と、既設の１００Ｖ用コンセントに抜き差し可能な一対の帯板状の差込ピンを有するコンセントプラグ部と、を備えた携帯用空気清浄機であって、上記空気清浄機本体部の本体ケーシングの全体又は一部が、ゲルマニウムが含有された樹脂製であり、上記空気清浄機本体部から円柱状の差込軸部を突設し、上記コンセントプラグ部に上記差込軸部が差し込まれる円形状の差込孔部を凹設して、上記空気清浄機本体部と上記コンセントプラグ部とを合体・分離自在に設け、さらに、上記差込軸部を、車両のシガーライタソケットに差込んで電気的に接続可能に設けて、上記空気清浄機本体部を車載バッテリーにて作動可能としたものである。
また、上記本体ケーシングは、一対の幅広壁部と、一対の幅狭壁部と、を有し、上記一対の幅広壁部の一方に上記空気清浄成分を飛散させるための複数の第１放出孔を有すると共に、上記一対の幅狭壁部の両方に上記空気清浄成分を飛散させるための上記複数の第２放出孔を有するものである。
【発明の効果】
【０００７】
本発明によれば、１００Ｖ用コンセントによって、屋内で空気の清浄を行なえると共に、車載バッテリーによって車内の空気清浄を行なうことができる。つまり、自宅や、ホテルや旅館等の宿泊先、病院や美容院や飲食等の店舗、トイレや廊下、寝室、新幹線や旅客船等に加え、車内でも使用でき、旅行や出張に最適な携帯用空気清浄機が得られる。車内に於て空気清浄を容易に、かつ、直ぐに開始できる。シガーライタソケットに直流交流変換装置を接続するための接続コードや、大きな直流交流変換装置を付設する必要が無く、接続コードが引掛かる虞や、車内空間を圧迫することがなく、安全で快適なドライブを提供できる。
【図面の簡単な説明】
【０００８】
【図１】本発明の実施の一形態を示す平面図である。
【図２】本発明の実施の一形態を示す正面図である。
【図３】本発明の実施の一形態を示す背面図である。
【図４】本発明の実施の一形態を示す側面図である。
【図５】要部断面平面図である。
【図６】作用説明図である。
【図７】折れ曲がり姿勢の一例を示す要部断面図である。
【図８】空気清浄機本体部と軸部の分解斜視図である。
【発明を実施するための形態】
【０００９】
以下、図示の実施形態に基づき本発明を詳説する。
本発明に係る携帯用空気清浄機は、図１乃至図４に示すように、マイナスイオンやオゾン等の空気清浄成分を発生させるための清浄成分発生器19が内蔵された空気清浄本体部１と、既設の１００Ｖ用コンセント（家庭用や商業用コンセント）に抜き差し可能な一対の帯板状差込ピン21，21を有するコンセントプラグ部２と、を備えている。
【００１０】
図５に於て、空気清浄機本体部１から円柱状の差込軸部３を突設し、コンセントプラグ部２に差込軸部３が差し込まれる円形状の差込孔部23を凹設して、空気清浄機本体部１とコンセントプラグ部２とを合体させている。
空気清浄機本体部１とコンセントプラグ部２との合体状態で、空気清浄機本体部１とコンセントプラグ部２は、差込軸部３を介して電気的に接続されている。
【００１１】
具体的には、コンセントプラグ部２は、一対の差込ピン21，21と、一対の差込ピン21，21からの１００Ｖの交流電圧を１２Ｖの直流電圧に変換する直流交流変換器22と、差込孔部23の内周面を形成すると共に直流交流変換器22のマイナス側接点に接続された円筒状部材24と、差込孔部23の軸心上（中心）かつ奥部（底部）に設けられ直流交流変換器22のプラス側接点に接続されたプラス端子25と、直流交流変換器からの直流電圧によって点灯する通電ランプ29と、を備えている。
【００１２】
差込軸部３は、外周面３ｂからラジアル外方に突設され合体状態で円筒状部材24（差込孔部23）の内周面に接触する陰極用端子34と、基端面３ａから突設され合体状態でコンセントプラグ部２のプラス端子25に接触する陽極用端子35と、を備えている。差込軸部３の陰極用端子34と陽極用端子35は、差込軸部３の外方側へ弾発付勢され、外力（押圧）を受けると内方側へ沈むように設けられている。
【００１３】
空気清浄機本体部１（以下、本体部１と呼ぶ場合もある）は、清浄成分発生器19が設けられた電子基盤16が内蔵され、電子基盤16のプラス側接続点に差込軸部３の陽極用端子35が、マイナス側接続点に差込軸部３の陰極用端子34が、夫々、電気的に接続されている。
【００１４】
つまり、既設の１００Ｖ用コンセントに、一対の差込ピン21，21が差し込まれると、１００Ｖの交流電圧が１２Ｖの直流電圧に変換されて、差込軸部３を介して本体部１（清浄成分発生器19）に電気が供給されるように構成されている。
【００１５】
また、図６に示すように、コンセントプラグ部２の孔部23から差込軸部３を引き抜くと、コンセントプラグ部２と、本体部１が離間した分離状態となる。
そして、差込軸部３は、自動車等の車両のシガーライタソケット（アクセサリーソケットと呼ばれる場合もある）６に差込可能に設けられ、かつ、シガーライタソケット６に電気的に接続可能に設けられている。
つまり、差込軸部３を、シガーライタソケット６のソケット孔63に差し込むと、差込軸部３の陽極用端子35が、ソケット孔63の軸心上かつ奥部に設けられ車載バッテリーのプラス側接点に接続されたソケット陽極端子65に接触し、差込軸部３の陰極用端子34がシガーライタソケット６の内周面を形成すると共に車載バッテリーのマイナス側に接続されるソケット円筒状部材64に接触して、電気的に接続され、差込軸部３を介して車載バッテリーから本体部１に電気（１２Ｖの直流電圧）が供給されるように構成されている。
【００１６】
また、差込軸部３は、差込孔部23やソケット孔63に差し込まれた状態で、差込孔部23とソケット孔63の孔軸心と、差込軸部３の差込軸心Ｌ３が同心状（上）に配設され、差込孔部23とソケット孔63の孔軸心廻りに電気的接続を保持したまま回転自在に設けられている。つまり、本体部１の姿勢（向き）を孔軸心廻りに回転自在としている。
【００１７】
また、図１乃至図４に示すように、本体部１の本体ケーシング10は、細長状かつ扁平状に形成され、一対の幅広壁部11，11と、一対の幅狭壁部12，12と、差込軸部３の軸心Ｌ３と空気清浄機本体部１の長手方向の本体軸心Ｌ１とが一直線状となった基準姿勢において軸部３と対面状となる基端壁部13と、基端壁部13の反対側に先端壁部14と、を有している。ここで、図１乃至図４に示した姿勢を、説明を容易にするために、基準姿勢としている。したがって、使用状態の姿勢を限定するものではない。
【００１８】
また、一対の幅広壁部11，11の一方に、空気清浄成分を飛散させるための複数の第１放出孔11ａを形成している。つまり、他方の幅広壁部11には、空気清浄成分を飛散させるための孔を省略している。
また、一対の幅狭壁部12，12の両方に、空気清浄成分を飛散させるための複数の第２放出孔12ａを形成している。
【００１９】
また、本体部１は、先端壁部14から外方へ突出（露出）するＬＥＤ等の照明器18と、一対の幅広壁部11，11の他方から外方へ突出（露出）すると共に照明器18の点灯・消灯を操作するための切換スイッチ等の照明操作部17と、を備えている。
また、本体部１は、電子基盤16が通電すると点灯する作動ランプを内部に有している。第１・第２放出孔11ａ，12ａから作動ランプの灯が漏れるように（確認可能に）形成されている。
また、清浄成分発生器19（具体的には、オゾン発生器とマイナスイオン発生器）と、照明器18と、作動ランプと、照明操作部17は、電子基盤16に電気的に接続されている。
また、電気基盤16は、オゾン発生器やマイナスイオン発生器を作動適切に作動させるための変圧器が設けられている。
【００２０】
本体部１は、１００Ｖコンセント、又はシガーライタソケットから電気の供給を受けると、自動で（スイッチ等の操作の必要がなく）、作動ランプが点灯すると共に清浄成分発生器19が作動する。照明器18は、照明操作部17の操作に伴って、点灯・消灯する。
【００２１】
また、本体ケーシング10は、全体又は一部が、ゲルマニウムと、酸化アルミニウムと酸化ジルコニウムとカーボンが混合された混合物と、鉱石（岩石粉）と、が含有された樹脂製である。
具体的には、基材となるＡＢＳ樹脂を９０〜９８重量％、ゲルマニウムを０．１〜０．３重量％、上記混合物を１．０〜１．５重量％、鉱石を２．０〜５．０重量％で配合している。このような成分で本体ケーシング10を形成することで、単に樹脂のみで成形した場合と比べて、著大な、空気清浄効果（脱臭効果、ニコンチンやタールの除去、ウイルスや菌の除去効果等）や、リラックス効果、美容効果、が得られる。
【００２２】
上記混合物は、具体的には、酸化アルミニウムを２５〜４０％、カーボン（黒鉛）を２６〜３３％、二酸化ケイ素を１２〜１８％、酸化ジルコニウムを１０〜３０％、酸化マグネシウムを０．５〜４％含有しており、ジルコニアアルミナカーボン（Ｚｒ―ＡＬ―Ｃ）又は、アルミナ・カーボン・シリカ・ジルコニア・マグネシア混合物と呼ぶ場合もある。
【００２３】
鉱石（岩石粉）とは、具体的には、セラミックパウダーや、ホルンヘルス（Horun herusu）や、ホルンヘルスヤヨイ（Horun Herusu Yayoi）や、変成岩と、呼ばれるものであって、具体的な成分として、二酸化ケイ素、酸化アルミニウム、チタニア、酸化鉄、酸化カルシウムを、酸化マグネシウム、酸化ナトリウム、酸化カリウム、強熱減量を含有している。粉末状にして樹脂に含有させている。
【００２４】
さらに、本体ケーシング10の外面は、塗装後に、酸化チタン等の光触媒を噴霧又は塗布している。本体ケーシング10がオゾンによって変色しないように光触媒にてコーティングし、美観が長期に渡って保持されるように構成している。
【００２５】
また、本体部１と差込軸部３は、図７に示すように、折れ曲がり自在に構成している。差込軸部３を形成する軸部材30を、本体ケーシング10に枢着して、枢着部（関節部）８を形成し、差込軸心Ｌ３と本体軸心Ｌ１が、一直線状からＬ字状に複数段にて、折れ曲がり角度θを変更自在としている。
つまり、差込軸部３を、差込孔部23やソケット孔63に差し込んだ状態で、孔軸心廻りに回転自在かつ、孔軸心（差込軸心Ｌ３）と直交する軸心（枢着軸心Ｌ８）廻りに揺動自在（折れ曲がり自在）として、首振り自在とし、本体部１の姿勢（各放出孔11ａ，12ａの向き）を所望の方向に変更可能である。
【００２６】
図８に示すように、本体ケーシング10は、一対の幅広壁部11，11と基端壁部13と先端壁部14とを有する本体ケース部材10Ａと、一対の幅狭壁部12，12を夫々形成する一対の横蓋ケース部材10Ｂ，10Ｂと、を備えている。
横蓋ケース部材10Ｂ，10Ｂ夫々は、本体軸心Ｌ１（図７に於て図示省略）と直交する方向に開口する枢着孔部85に、複数の内歯状凸部85ａを有している。
【００２７】
また、軸部材30は、軸部３の外周面３ｂを形成する筒状ケース部材30Ｂと、筒状ケース部材30Ｂを基端側から施蓋する蓋ケース部材30Ａと、筒状ケース部材30Ｂに挿入状に配設されると共に、縦割り分割可能な第１芯部材91と第２芯部材92によって形成される芯ケース部材30Ｃと、陰極用端子34と、陽極用端子35と、を備えている。
そして、芯ケース部材30Ｃは、本体ケーシング10に差し込まれる部位に、差込軸心Ｌ３と直交する方向に突出する一対の枢着軸部86，86を有している。枢着軸部86は、外歯状の複数の係止凸部86ａを有している。
組立状態で、芯ケース部材30Ｃの枢着軸部86を、横蓋ケース部材10Ｂの枢着孔部85に、差し込んで、係止凸部86ａを内歯状凸部85ａに係止させ、本体部１を折り曲げ操作することで、係止凸部86ａが内歯状凸部85ａを（弾性変形により）乗り越えて、操作音を出しながら複数段階に折れ曲がり自在に構成している。
【００２８】
また、本体部１（本体ケーシング10）と差込軸部３（芯ケース部材30Ｃ）の内部には、電子基盤16のプラス側接点に一端が接続され他端が陽極用端子35に電気的に接続される陽極用線材95と、電子基盤16のマイナス側接点に一端が接続され他端が陰極用端子34に接続される陰極用線材94と、を備えている。
【００２９】
陽極用線材95は、１本の線材の一端側を電子基盤16に接続し、他端側に陽極用端子35を弾発付勢するコイルバネ部95ｂを形成し、中間部に枢着部８に適度な弾発力を付与するねじりコイルバネ部95ａを形成したものである。
陰極用線材94は、１本の線材の一端側を電子基盤16に接続し、他端側に陰極用端子34を弾発付勢するコイルバネ部94ｂを形成し、中間部に枢着部８に適度な弾発力を付与するねじりコイルバネ部94ａを形成したものである。
そして、枢着部８の枢着軸心Ｌ８（図８に於て図示省略）廻りに（外嵌状に）、陽極用線材95及び陰極用線材94のねじりコイルバネ部95ａ，94ａを配設して、本体部１と差込軸部３、及び枢着部８の係合に弾発力を付与させ、適度な操作感が得られるように構成している。
つまり、陽極用線材95及び陰極用線材94は、電子基盤16と差込軸部３の各端子35，34を電気的に接続するための導線と、差込軸部３の各端子34，35を弾発付勢するコイルバネと、本体部１と差込軸部３の枢着部８に適度な弾発力を付与するためのねじりコイルバネと、を一体に設けたものであり、部品点数や組立工数の削減に貢献している。
【００３０】
次に、本発明の携帯用空気清浄機の使用方法（作動）について説明する。
先ず、本体部１とコンセントプラグ部２の合体状態で、家等の既設の１００Ｖ用コンセントに直接的に差し込んで電気（電源）を得て、容易かつ迅速に空気清浄を行なうことができる。電源コードが無く、廊下やトイレ等の狭い場所でも邪魔にならず、電源コードにより引掛かりもなく、安全である。また、既設の１００Ｖ用コンセントに差し込まれて保持され（支持され）専用の置き場を確保する必要がない。
【００３１】
そして、旅行やドライブ等で自動車等の車両に乗る際は、家から持ち出して（携帯して）、本体部１とコンセントプラグ部２を、分離させ、差込軸部３をシガー（シガレット）ライタソケット６に差し込むだけで、直ぐに車内の空気清浄が開始される。
シガーライタソケット６に直流交流変換装置を接続するための接続コードや、大きな直流交流変換装置を付設する必要が無く、接続コードが引掛かる虞や、車内空間を圧迫することがなく、安全で快適な車内空間が得られる。
【００３２】
また、第１放出孔11ａと第２放出孔12ａによって、空気清浄成分を効果的に、略３方向に飛散させることできる。また、第１・第２放出孔11ａ，12ａが形成されていない幅広壁部11を、屋内の壁部や車両のダッシュボード等と対面状に配設させて、オゾンによる変色を防止できる。
また、差込軸部３を、差込孔部23やソケット孔63の孔軸心廻りに回転させ、さらに、差込軸部３に対して本体部１を折り曲げることで、所望の方向に効率良く空気清浄成分が飛散する。
【００３３】
また、トイレ等で、１００Ｖ用コンセントに差し込んで、照明器18を点灯させることで、トイレ内の照明器具が不要になると共に、空気清浄も行なえ経済的である。
また、廊下の１００Ｖ用コンセントに差し込んで、照明器18を点灯させることで、地震や火事等の緊急避難時の避難誘導灯とできる。
さらに、差込軸部３の孔軸心廻りの回転、及び、差込軸部３に対して本体部１が折れ曲がることによって、照明器18を、所望の方向へ照らすことが可能となり、車内や、トイレ、廊下等の簡易照明（間接照明器）として、安全性を確保できる。
また、合体状態において、本体部１の先端側を、差込ピン21の突出方向と合わせることで、全体がコンパクトな略コの字状とでき、ポーチ等への収納が容易になり、携帯に便利である。
【００３４】
また、本発明に係る携帯用空気清浄機（以下、本機と呼ぶ場合もある）からの空気清浄成分（特に、マイナスイオン）によって、車両運転中のブレーキの反応速度が早くなる効果が得られた。具体的には、本機を使用しなかった場合は、平均で、０．８３１秒であったが、本機を使用した場合は、平均で０．７８９秒であった。つまり、平均で０．０４２秒早くなった。特に、高齢者の被験者において効果が得られた。
【００３５】
また、肌の保湿性・弾力性が上がり、美容効果が得られた。弾力性と保湿性を０から１００の値に数値化して、その合計を判定値として検証を行なった。すると、本機の使用前は、保湿性（水分値）が５８ポイント（少し乾燥）、弾力性（弾力値）が１７ポイント（標準以下）、判定値は７５ポイント（要注意な肌）であった。使用開始５時間後は、保湿性が６１ポイント（少し乾燥）、弾力性が１９ポイント（標準的）、判定値は８０ポイント（要注意な肌）であった。そして、２４時間後は、保湿性が６５ポイント（標準的な潤い）、弾力性が２０ポイント（標準的）、判定値は８５ポイント（標準的な肌）であった。２４時間の使用で、判定値が１０ポイント向上した。なお、各数値は、５回測定の平均値である。
【００３６】
また、癒しの効果、つまり、リラックス状態を示すα波の増加がみられた。
具体的には、健常な成年女性を被験者とし、１０分間の安静状態を保ったあと、本機を未使用の状態で２分間の脳波を測定し、次に、本機を顔から下方２０ｃｍに設置し、５時間後の２分間の脳波を測定した。使用前は、α波の出現率は１７．５％であったが、使用５時間後は、３９．２％であった。つまり、２１．７％の増加がみられた。
【００３７】
また、脱臭性も得られた。具体的には、日本電気工業会の規格に準拠した内容積１立方メートルのアクリル容器内に、本機を設置し、アンモニアガスを注入・拡散させて、本機を運転させた状態で容器のアンモニア濃度を適時測定し、アンモニア濃度変化を追跡した。また、本機を運転しない状態での試験も行なった。また、ホルムアルデヒドについても試験を行なった。
アンモニアの脱臭性能については、本機を運転した場合は、運転しなかった場合に比べ、アンモニア濃度（ｐｍｍ）が減少した、運転開始２時間で３６％以上の除去率であった。
ホルムアルデヒドの脱臭性能については、本機を運転した場合は、運転しなかった場合に比べ、ホルムアルデヒド濃度（ｐｍｍ）が減少した、運転開始２時間で３９％以上の除去率であった。
【００３８】
また、タール・ニコチン除去効果も得られた。具体的には、上記のアクリル容器内で３本のタバコを燃焼させ、タバコの煙を充満させる。次にガス吸引装置を用いて容器内を吸引し、気中のタール・ニコチンを石英ろ紙上に吸着させてタール・ニコチン濃度を測定した。また、本機を運転させた場合と、運転させなかった場合について行なった。
タール分の除去性能については、本機を運転した場合は、運転しなかった場合に比べ、タール分濃度（ｍｇ／ｍ３）が減少した、運転開始２時間で９１％以上の除去率であった。
ニコチン分の除去性能については、本機を運転した場合は、運転しなかった場合に比べ、ニコチン分濃度（ｍｇ／ｍ３）が減少した、運転開始２時間で８９％以上の除去率であった。
【００３９】
浮遊菌（黄色ブドウ球菌）の除去（菌数の減少）効果が得られた。具体的には、２００Ｌのチャンバー（容器）内に、菌懸濁液を噴霧、浮遊させ、初発（０分）の浮遊菌をインピンジャーで捕集後、本機の運転を開始した。その後、経時的にチャンバー内の浮遊菌を捕集し、捕集液を原液とし培養し、集落を数え、（浮遊）菌数を測定した（財団法人  北里環境科学センターにて試験をおこなった）。初期からの浮遊菌数の減少率は、９０分間で、９９．９９％以上であった。
【００４０】
また、浮遊インフルエンザウイルス（Ａ型インフルエンザウイルスＨ１Ｎ１、Ａ／ＰＲ／８／３４）の感染価の減少効果も得られた。具体的には、２００Ｌのチャンバー内に、攪拌ファンと、本機と、ウイルス噴霧装置（供試ウイルス液の入ったネブライザー）を設置し、チャンバーから内部空気を回収するシリコン製チューブに接続されたゼラチンフィルター（浮遊ウイルス捕集器具）を設けた。そして、ウイルス噴霧装置にてウイルス液を毎分０．２ｍＬで５分間噴霧し、噴霧後１分間攪拌し、その後浮遊ウイルスを捕集した。この時間を０分として、本機を運転させ、続いて１０分間、３０分間、及び６０分間の運転時間で、ウイルスを捕集した。また、本機を運転させない条件でも行なった。ウイルスを捕集したゼラチンフィルターは、リン酸緩衝生理食塩水５ｍＬに溶解して、感染価測定用試料原液とし、培養後、顕微鏡下で細胞変性効果を確認し、ウイルス感染価を求め、回収空気あたりのウイルス感染価に換算した（財団法人  北里環境科学センターにて試験をおこなった）。自然減衰を基準として、本機を運転させた場合の感染価を比較すると、１０分間で９０．０％、３０分間で９８．４％、６０分間で９９％以上のウイルス除去効果が認められた。
【００４１】
なお、本発明は、設計変更可能であって、コンセントプラグ部２の形状や、差込ピン21，21の突出方向、差込孔部23の位置は自由である。なお、コンセントプラグ部２の直流交流変換器22は、１００Ｖ交流電圧を２４Ｖの直流電圧に変換するものでも良い。つまり、車載バッテリーと同じ直流電圧に変換するものであれば良い。
【００４２】
以上のように、本発明の携帯用空気清浄機は、空気清浄成分を発生させるための清浄成分発生器19が内蔵された空気清浄機本体部１と、既設の１００Ｖ用コンセントに抜き差し可能な一対の帯板状の差込ピン21，21を有するコンセントプラグ部２と、を備えた携帯用空気清浄機であって、空気清浄機本体部１の本体ケーシング10の全体又は一部が、ゲルマニウムが含有された樹脂製であり、空気清浄機本体部１から円柱状の差込軸部３を突設し、コンセントプラグ部２に差込軸部３が差し込まれる円形状の差込孔部23を凹設して、空気清浄機本体部１とコンセントプラグ部２とを合体・分離自在に設け、さらに、差込軸部３を、車両のシガーライタソケット６に差込んで電気的に接続可能に設けて、空気清浄機本体部１を車載バッテリーにて作動可能としたので、１００Ｖ用コンセントによって、屋内で空気の清浄を行なえると共に、車載バッテリーによって車内の空気清浄を行なうことができる。つまり、自宅や、ホテルや旅館等の宿泊先、病院や美容院や飲食等の店舗、トイレや廊下寝室、新幹線や旅客船等に加え、車内でも使用でき、旅行や出張に最適な携帯用空気清浄機が得られる。車内に於て空気清浄を容易に、かつ、直ぐに開始できる。シガーライタソケットに直流交流変換装置を接続するための接続コードや、大きな直流交流変換装置を付設する必要が無く、接続コードが引掛かる虞や、車内空間を圧迫することがなく、安全で快適なドライブを提供できる。
【００４３】
また、本体ケーシング10は、一対の幅広壁部11，11と、一対の幅狭壁部12，12と、を有し、一対の幅広壁部11，11の一方に空気清浄成分を飛散させるための複数の第１放出孔11ａを有すると共に、一対の幅狭壁部12，12の両方に空気清浄成分を飛散させるための複数の第２放出孔12ａを有するので、空気清浄成分を効果的に効率良く大量に飛散させることができる。
【符号の説明】
【００４４】
１  空気清浄機本体部
２  コンセントプラグ部
３  差込軸部
10  本体ケーシング
11  幅広壁部
11ａ  第１放出孔
12  幅狭壁部
12ａ  第２放出孔
19  清浄成分発生器
21  差込ピン
23  差込孔部 
【図１】
2014054413.tif 000003
【図２】
2014054413.tif 000004
【図３】
2014054413.tif 000005
【図４】
2014054413.tif 000006
【図５】
2014054413.tif 000007
【図６】
2014054413.tif 000008
【図７】
2014054413.tif 000009
【図８】
2014054413.tif 000010